(57)【要約】      （修正有）【課題】手袋を使用しての作業後に発生した若干の汚物を、その使用済みの使い捨て手袋と共に（手袋に内包させて）容易に廃棄処分できるようにした手袋を提供する。【解決手段】手挿入口のふち中央に切れ込みを入れた使い捨て手袋で汚物を握り、もう一方の手で、汚物を握った手袋下端にある切れ込みの手前の端を摘んで横に引き裂くように引っ張り、手袋の裾を切り開き、手袋下端の反対側の切れ込みを摘み直して、それを一気に上方へ引き上げることにより、内側に汚物を包含したままゴミ袋に投棄する。【選択図】図２
2016223040.tif 000002
【特許請求の範囲】
【請求項１】
現在一般的に使われてるポリオレフィン系（ポリオレフィン、ポリエチレン、ポリプロピレン）の材質の普通形状の使い捨て手袋において、手の挿入口のふちの中央部分に両面とも小さな切れ込みを入れたもの。
【請求項２】
請求項１において、手の挿入口のふち中央に入れる切れ込みの形が、三角形、あるいは線状、またはそれに似た形状のもの。
【発明の詳細な説明】
【技術分野】
【０００１】
本発明は、現在、各種作業に使われている使い捨て手袋の中で、その材質がポリオレフィン系（ポリオレフィン、ポリエチレン、ポリプロピレン他）の手袋について、その手袋を使用しての作業後に廃棄すべき汚物が若干生じた時、その作業で使用した使い捨て手袋とその汚物とをいっしょにまとめて廃棄処理しやすく工夫したものであり、また、作業とは無関係に、目の前に廃棄すべき汚物が若干ある場合にも、同様の使い捨て手袋を使用してその廃棄処理が簡単にできるように工夫したものであり、そしてその工夫によって、これまでと異なる新しい脱ぎ方ができる使い捨て手袋に関するものである。
【背景技術】
【０００２】
現在、多くの作業現場において使い捨て手袋が使用されている。もし或る現場で使い捨て手袋を使って作業をした後、その作業によって廃棄すべき汚物が生じた時、その汚物量がさほど多くない場合は、その汚物を作業後の使い捨て手袋に包含させるようにして共にまとめて廃棄できれば、周囲を汚すこともなく小奇麗にかつ衛生的に作業を終えることができる。
しかし、従来型の使い捨て手袋では、そのような形での作業後の汚物の廃棄処理は難しく、また敢えてそれを実行しても、作業後の手袋の汚れや、それといっしょに捨てる汚物の飛沫が、生身の手に付着しやすく、作業者に与える心理的な負担が大きかった。
【０００３】
現在そのために、さまざまに工夫された使い捨て手袋が考案されている。
【先行技術文献】
【特許文献】
【０００４】
【特許文献１】特開平１０−３１７２１７号公報
【特許文献２】特開平１１−２９２０１号公報
【特許文献３】特開２０００−６４１０８号公報
【特許文献４】特開２００４−２２５２２５号公報
【発明の概要】
【発明が解決しようとする課題】
【０００５】
しかし上述の特許文献で示したその工夫は、いずれも従来の使い捨て手袋の形状を大きく変更したものであり、従来通りに使い捨て手袋を作業で使用するためには相当な違和感があり、快適な形での使用を非常に難しくしている。さらにその変形した形状の使い捨て手袋を製品化する上での事業者の負担が大きい。        
【課題を解決するための手段】
【０００６】
本発明は、従来型のポリオレフィン系（ポリオレフィン、ポリエチレン、ポリプロピレン）の材質の使い捨て手袋において、手の挿入口のふちの中央部分に小さな切れ込みを入れることであり、その切れ込みを利用して手袋を一定の手順で脱ぐことで、作業で生じた若干の廃棄汚物を、手袋と共に容易に、かつ衛生的に捨てることが可能となる。
【発明の効果】
【０００７】
作業後に発生した若干の廃棄すべき汚物を、使い捨て手袋と一まとめにして簡単に廃棄することが可能となり、また、そのために別の器具や用具は必要でなく、使い捨て手袋のみで汚物を廃棄処理できる。
また、特に作業で処理する汚物の汚染度が高いもの（糞便、嘔吐物）の場合であっても、本発明により、使い捨て手袋の廃棄と同時に汚物の廃棄を小奇麗に衛生的に行うことができるので、作業者の心理的な負担を軽減する。
【０００８】
さらに、当発明の使い捨て手袋によって、汚染度の高い汚物を、すでに他の廃棄物が入ったゴミ袋に投入しても、使い捨て手袋に包含されたその汚物は、ゴミ袋内で散乱することもなく、そのゴミ袋の以後の継続的使用を快適に保つことができる。また、たとえ廃棄する汚物に水分が含まれていようと、それが使い捨て手袋に包含されているために、その水分がゴミ袋の内外へ染み出ることが回避できる。
【０００９】
そして、廃棄物や汚物処理に無関係に、作業後に単独で使い捨て手袋を捨てる時でも、当発明により、同じ手順で使い捨て手袋を脱ぐことで、これまでと違った新しい簡単な脱ぎ方ができる。
【図面の簡単な説明】
【００１０】
【図１】本発明において、従来の手袋をどのように加工するかを示したものである。
【図２】本発明による実施例１の前半。この後、図３に続く。
【図３】本発明による実施例１の後半。
【図４】本発明による実施例２。
【図５】本発明による実施例３。
【図６】本発明による実施例４。
【図７】本発明による実施例５。
【発明を実施するための形態】
【００１１】
現在一般的に使用されてるポリオレフィン系（ポリオレフィン、ポリエチレン、ポリプロピレン）の材質の使い捨て手袋（図１のａ）において、手の挿入口のふちの中央部分に切れ込みを入れる加工を施す。図１はその切れ込みの形状を二種類示している。ａ１は切れ込みの形が三角形状であり、ａ２は切れ込みの形が線状（スリット状）のものである。
また、その切れ込みの長さ（手袋のふちから、切れ込みの先端までの長さ）は、１センチ以内程度とする。
【００１２】
ただ、この線状の切れ込みの方については、加工が簡単ではあるが、手袋の使用者にとってはその切れ込みが目立たない（確認しにくい）と同時に、本発明による手袋が当初市場に流通を開始した時には、手袋使用者にただの裂け目（不良品）と勘違いされる恐れもあるので注意を要する。
本発明による製品上の工作は以上だけである。
【実施例１】
【００１３】
図２において、片側の手に本発明の手袋を装着し、それで汚物を握り、もう一方の手で、汚物を握った手袋下端にある切れ込みの手前の端を摘んで横に引き裂くように引っ張る。すると、手袋の裾は大きく切り開かれ、次に図３のごとく、手袋下端の反対側の切れ込みを摘み直して、それを一気に上方へ引き上げると、手袋は内側に汚物を包含したままスルリと脱げる。アトはそのままゴミ袋に投棄するだけである。
【実施例２】
【００１４】
図２から飛んで図４への流れにおいて、手袋を装着していない片方の手で、汚物を握っている手袋の背面（手の甲側）から、その手袋下端を摘んで上方に引き上げることで、手袋は汚物を包含してスルリと脱げる。
この脱ぎ方は、より確実に汚物との接触を回避したい場合や、汚物の量や水分が多くて、脱ぐ時に汚物が周囲に飛散するのを回避したい場合に有効である。
【実施例３】
【００１５】
図５において、汚物を握った手袋の挿入口の切れ込みを横に引っ張って引き裂いた後、引っ張った手を持ち替えることなく、そのまま一気に上方に引き上げて、一発で手袋を脱ぐ手順である。非常に簡単な脱ぎ方であり、握る汚物の量が少ない時や、本発明の手袋の脱ぎ方に慣れた後に使える手順である。
【実施例４】
【００１６】
図６において、本発明の手袋で汚物を握る際に、その手袋を二重に手に装着する（手袋を二枚使用する）。そうして、汚物をつかんだ二重装着の手袋を、これまでの実施例（１、２、３）に示した手順で    一枚ずつ脱いで行くのである（ただし、１枚目の手袋は図６のように途中で脱ぐのを停止して２枚目の手袋を脱ぐ）。この利点は、握って廃棄する汚物が極端に汚染度が高いもの（糞便など）であっても、その手袋を脱ぐ過程で、わずかでもその汚物が手に付着する恐れを解消でき、かつ、それを投棄したゴミ袋内においても汚物が散乱することを一層確実に回避できる。
【実施例５】
【００１７】
実際の作業現場においての実施例が図７である。
まず、図７のように、両手に装着した使い捨て手袋を使って作業を終えた後、片方の使い捨て手袋を引っ張って脱がす。そして脱いだその片方の使い捨て手袋を使って、廃棄すべき汚物を包み込む。そしてその手袋に包み込まれた汚物を、いまだ使い捨て手袋を装着しているもう一方の手の中に握る。その後は、これまでの実施例で示した脱ぎ方によって、汚物を握った手袋を脱ぎ、それをゴミ袋に投棄するのである。
【実施例６】
【００１８】
以上述べた、本発明の使い捨て手袋の実施例は、すべて手袋廃棄と共に「汚物廃棄」をする場合についてであるが、しかし、汚物廃棄と無関係に、作業で使用した使い捨て手袋を単独で廃棄する場合にも使うことができ、それはすなわち、従来の使い捨て手袋の脱ぎ方に加え、新しい脱ぎ方を提供するものとなる。
【符号の説明】
【００１９】
１    廃棄すべき汚物
２    脱ぎ捨てた片方の使い捨て手袋
【図１】
2016223040.tif 000003
【図２】
2016223040.tif 000004
【図３】
2016223040.tif 000005
【図４】
2016223040.tif 000006
【図５】
2016223040.tif 000007
【図６】
2016223040.tif 000008
【図７】
2016223040.tif 000009